(57)【要約】【課題】パウチの把持性やハンドリング性を向上すると共に、内容物が減少した場合であっても、パウチが折れ曲ることなく、優れた胴部保型性および自立安定性、意匠性を有するパウチ容器を提供することを課題とする。また、内容物の充填性や注出性を向上し、従来のガラス瓶やブローボトル等のボトル容器に代えて、廃棄性や減容性のみならず自立性、使用性に優れた、新しい形態のパウチ容器を提供することを課題とする。【解決手段】上記課題を解決するため、本発明の請求項１記載の発明は、積層フィルムの周囲をシールしてなるパウチ本体と、該パウチ本体の周囲の一側部に接合される、熱可塑性樹脂からなる略円筒状部材を有する充填口部材と、を備える、パウチ容器であって、前記充填口部材が、パウチの内部にかけて延伸する延伸部分を有するとともに、該延伸部分が前記パウチ本体の正面および裏面、若しくは正面または裏面に沿って当接することを特徴とする、パウチ容器である。【選択図】図１
2010083562.tif 000002
【特許請求の範囲】
【請求項１】
積層フィルムの周囲をシールしてなるパウチ本体と、該パウチ本体の周囲の一側部に接合される、熱可塑性樹脂からなる充填口部材と、を備える、パウチ容器であって、前記充填口部材が、前記パウチ本体の内部にかけて延伸する延伸部分を有するとともに、該延伸部分が前記本体の正面および裏面、若しくは正面または裏面に沿って当接することを特徴とする、パウチ容器。
【請求項２】
前記充填口部材の前記延伸部分を、前記パウチの中心部分よりさらに前記充填口部材とは反対側の前記パウチ本体の一側部近傍に向けて延設することを特徴とする、請求項１記載のパウチ容器。
【請求項３】
前記延伸部分は、楔形状を有することを特徴とする、請求項１乃至２記載のパウチ容器。
【請求項４】
前記充填口部材に、注出部を有する注出口部材を着脱自在に形成したことを特徴とする、請求項１乃至３記載のパウチ容器。
【請求項５】
前記注出口部材若しくは前記充填口部材に、開閉自在なキャップを形成したことを特徴とする、請求項１乃至４記載のパウチ容器。
【請求項６】
前記充填口部材の開口部に、初期開封シールを形成したことを特徴とする、請求項１乃至５記載のパウチ容器。
【請求項７】
前記パウチ本体は、自立可能な底部分を有するスタンドパウチであることを特徴とする、請求項１乃至６記載のパウチ容器。
【請求項８】
前記充填口部材と前記注出口部材とが、一体に形成されることを特徴とする、請求項４乃至７記載のパウチ容器。
【発明の詳細な説明】
【技術分野】
【０００１】
本発明は、積層フィルムの周囲をシールしてなる自立可能なパウチ本体と、該パウチ本体の周囲の一側部に接合される、熱可塑性樹脂からなる略円筒状部材を有する充填口部材と、を備える、パウチ容器に関し、特に、パウチのハンドリング性、胴部保型性および自立安定性、使用性を向上したパウチ容器に関する。
【背景技術】
【０００２】
従来、主に店頭で販売されるドレッシングや各種味付け用のタレ類など、図２０（ａ）に示すように、ガラス瓶容器Ｇなどのボトル形状の容器を用いることが多い。このようなガラス瓶容器Ｇは、容器Ｇの耐久性や自立時の安定性に優れるものの、ガラス瓶Ｇは重量が重く、さらには落とすと割れてしまう危険性がある。そこで、近年、図２０（ｂ）に示すように、プラスチック成型品からなるブローボトルＢに注出口を設けた容器Ｂを用いる場合がある。
【０００３】
他方、シャンプーやリンス、液体洗剤などは、ボトル容器Ｂからフィルム袋状のパウチＰへと移行が進んでおり、このようなパウチＰは、減容性および廃棄性に優れており、環境に配慮した容器形態となっている。
【０００４】
しかしながら、このようなパウチＰでは、内容物の量によってはパウチ本体のフィルムが変形するため、パウチＰの把持性や自立性に問題があり、パウチＰをそのままの状態で直接用いることが困難である。よって、パウチの内容物を、ブローボトル容器Ｂへと移し替える等の手間を要し、ドレッシングや焼肉のタレなどの食品類を内容物として扱うことが困難であった。このため、液体の食品類は、ブローボトルＢやガラス瓶Ｇなどの従来容器形態で販売されることが多く、パウチへの移行が進まずにいる。
【０００５】
また、図２１に示すように、主に、清涼飲料などを内容物とした、前記パウチＰにスパウトＳ（注出口）を取り付けたスパウト付きパウチＰがあるが、筒状部材からなるスパウトＳが、内容物の充填口と注出口とを兼ね備えるため、スパウトＳの口径を小さくすると、充填スピードが遅くなり、一方、スパウトＳの口径を大きくすると、内容物の摂取がしづらいという問題がある。
【０００６】
特に、この種のスパウトＳは、スパウトＳのノズル部分に口を当て吸い出すことにより内容物を摂取するため、内容物の減少に伴い、パウチＰがしぼみ、パウチＰの把持が不安定となる欠点がある。さらには、パウチＰ内部に残存する内容物を余すことなく吸い出すことが困難であり、パウチＰを傾けても内容物を取り出すことができないという欠点がある。
【０００７】
さらには、内容物の内圧によりパウチ本体Ｐの膨らみを維持しており、内容物の減少に伴い、パウチＰの胴部にシワが生じてしまい、パウチＰの見栄えが良くないという問題や、前記シワ部分を起点にパウチ本体Ｐが折れ曲ってしまうという問題があった。
【０００８】
他方、例えば、特許文献１に示すように、筒状に形成した注ぎ口本体と、注ぎ口本体上面を覆うように設けた蓋体と、袋状容器の開口縁を前記注ぎ口本体の円筒部に密着させるための締付手段とにより構成される、袋状容器用栓が開示されており、注ぎ口本体（３）の円筒部（４）が、袋状容器（１）と密着しやすいように、後側下部ほど幅広のテーパー状に成型された袋状容器用の栓が記載されている。
【０００９】
しかしながら、このような容器は、使用者が袋入り製品に取り付けて用いる、着脱自在な注ぎ口であり、前記円筒部（４）と袋状容器との密着を袋口部部材による締め付けによってのみ行なう構成である。
【００１０】
よって、使用者の利便を目的に予め注ぎ口を取り付けて流通させる容器としては、同密着部からの液漏れ等の恐れがあり、さらには、このような簡易な接合では、注ぎ口本体（３）を把持して容器を取り扱うと、接合部から袋が脱落してしまう等の問題があるため、同公報でも取り扱いを確実にする例として、別途、袋状容器１に装着する略Ｕ字状の合成樹脂製ケース（２３）を挙げている。
【００１１】
【特許文献１】特開昭６０−２４０６５８号公報
【発明の開示】
【発明が解決しようとする課題】
【００１２】
本発明は、上記課題を解決するためになされたものであり、パウチの把持性やハンドリング性を向上すると共に、内容物が減少した場合であっても、パウチが折れ曲ることなく、優れた胴部保型性および自立安定性、意匠性を有するパウチ容器を提供することを課題とする。
【００１３】
また、内容物の充填性や注出性を向上した、使用性の高いパウチ容器を提供することを課題とし、さらには、従来のガラス瓶やブローボトル等のボトル容器に代えて、廃棄性や減容性に優れた、新しい形態のパウチ容器を提供することを課題とする。
【００１４】
さらには、パウチ容器の液漏れ等を防ぐためのケース等を別途必要とせず、内容物を充填するパウチ本体と、内容物を注出する部材とを、一体に形成することにより、液漏れを生じることなく、注ぎやすく、把持しやすく、自立可能な、パウチ容器を提供することを課題とする。
【課題を解決するための手段】
【００１５】
そこで、上記課題を解決するため、本発明の請求項１記載の発明は、積層フィルムの周囲をシールしてなるパウチ本体と、該パウチ本体の周囲の一側部に接合される、熱可塑性樹脂からなる充填口部材と、を備える、パウチ容器であって、前記充填口部材が、パウチの内部にかけて延伸する延伸部分を有するとともに、該延伸部分が前記パウチ本体の正面および裏面、若しくは正面または裏面に沿って当接することを特徴とする、パウチ容器である。
【００１６】
また、請求項２記載の発明は、前記充填口部材の前記延伸部分を、前記パウチの中心部分よりさらに前記充填口部材とは反対側の前記本体の一側部近傍に向けて延設することを特徴とする、パウチ容器である。
【００１７】
また、請求項３記載の発明は、前記延伸部分は、楔形状を有することを特徴とする、パウチ容器である。
【００１８】
また、請求項４記載の発明は、前記充填口部材に、注出部を有する注出口部材を着脱自在に形成したことを特徴とする、パウチ容器である。
【００１９】
また、請求項５記載の発明は、前記注出口部材若しくは前記充填口部材に、開閉自在なキャップを形成したことを特徴とする、パウチ容器である。
【００２０】
また、請求項６記載の発明は、前記充填口部材の開口部に、初期開封シールを形成したことを特徴とする、パウチ容器である。
【００２１】
また、請求項７記載の発明は、前記パウチ本体は、自立可能な底部分を有するスタンドパウチであることを特徴とする、パウチ容器である。
【００２２】
また、請求項８記載の発明は、前記充填口部材と前記注出口部材とが、一体に形成されることを特徴とする、パウチ容器である。
【発明の効果】
【００２３】
本発明の請求項１記載の発明は、積層フィルムの周囲をシールしてなるパウチ本体と、該パウチ本体の周囲の一側部に接合される、熱可塑性樹脂からなる充填口部材と、を備える、パウチ容器であって、前記充填口部材が、パウチの内部にかけて延伸する延伸部分を有するとともに、該延伸部分が前記パウチ本体の正面および裏面、若しくは正面または裏面に沿って当接することを特徴とするから、パウチ本体の把持性およびハンドリング性を向上するとともに、パウチの胴部にシワが生じることなく、パウチの内容物が減少した場合であっても、パウチが折れ曲ることなく、優れた胴部保型性および自立性、意匠性を有するパウチ容器を提供することが可能である。
【００２４】
また、請求項２記載の発明は、前記充填口部材の前記延伸部分を、前記充填口部材とは反対側の前記パウチ本体の一側部近傍に向けて延設することを特徴とするから、パウチ容器の胴部保型性および自立安定性を向上することが可能である。
【００２５】
また、請求項３記載の発明は、前記延伸部分は、楔形状を有することを特徴とするから、パウチ容器の製造時において、充填口部材をパウチ本体へと容易に挿入することが可能である。さらには、パウチ本体の内容物を余すことなくスムースに取り出すことが可能である。
【００２６】
また、請求項４記載の発明は、前記充填口部材に、注出部を有する注出口部材を着脱自在に形成したことを特徴とするから、内容物を充填するための充填口と使用時に内容物を注ぎだすための注出口とを別部材で構成して、スムースかつ安定して内容物を充填することが可能であるとともに、使用時においても、内容物を安定して適量注ぎだすことが可能である。
【００２７】
また、請求項５記載の発明は、前記注出口部材若しくは前記充填口部材に、開閉自在なキャップを形成したことを特徴とするから、注出口部材若しくは充填口部材の開口を閉封して、パウチ容器の内容物を密封、保存することが可能である。
【００２８】
また、請求項６記載の発明は、前記充填口部材の開口部に、初期開封シールを形成したことを特徴とするから、酸素ガス、炭酸ガス、水蒸気等の透過を遮断する耐透過性を向上して、内容物の品質保持性を向上したパウチ容器を提供することが可能である。
【００２９】
また、請求項７記載の発明は、前記パウチ本体は、自立可能な底部分を有するスタンドパウチであることを特徴とするから、パウチ本体が自立可能な、新しい形態のボトルタイプからなるパウチ容器を提供することが可能である。
【００３０】
また、請求項８記載の発明は、前記充填口部材と前記注出口部材とが、一体に形成されることを特徴とするから、充填口部材に一体に形成された注出口部材の注出部を用いて、スムースかつ安定して内容物を充填することが可能であるとともに、使用時においても、内容物を安定して適量注ぎだすことが可能である。
【発明を実施するための最良の形態】
【００３１】
本発明に係るパウチ容器Ａ（容器Ａ）の一例としては、図１に示すように、積層フィルムの周囲をヒートシールしてなるパウチ本体１の上部（パウチ本体１の周囲の一側部）に、筒状の充填口部材２がパウチ本体１と一体に形成されてなるパウチ容器Ａであって、さらには、前記充填口部材２へと、内容物を注出するための注出部３３を有する注出口部材３が取り付けられている。
【００３２】
そして、前記充填口部材２の大きな開口から、内容物を充填することが可能であり、例えば、液体や粘体、さらには固形物や粉末などの内容物の種類によって、適した開口形状を有する充填口部材２を用いることが可能である。また、前記注出口部材３も、同様に内容物の種類によって適した注出部を有する注出口部材３を用いることが可能である。
【００３３】
特に、前記充填口部材２が、パウチ本体１の内部において、パウチ本体１の正面および裏面のフィルムと接する箇所にかけて下方へと延伸した、楔形状からなる延伸部分２６を有しており、この延伸部分２６を把持することにより、パウチ容器Ａを安定して保持することが可能である。また、後述する、前記延伸部分２６をパウチ本体の中央よりさらに下方（充填口部材２とは反対側のパウチ本体１の一側部近傍）へと延伸することにより、正面および裏面のフィルムが、前記充填口部材２とパウチの底部とをつなぐ柱を形成するため、内容物が減少した場合であっても、パウチ本体１が折れ曲ることなく、優れた胴部保型性、自立安定性を有するパウチ容器Ａを提供することが可能である。
【００３４】
さらには、従来の成型ボトルやガラス瓶を用いることなく、積層フィルムをシールしてなるパウチ本体１を用いることにより、従来の成型ボトルやガラス瓶等のボトルに比べて、使用性、減容性、廃棄性を向上するとともに環境に配慮した、ボトルタイプのパウチ容器Ａを提供することが可能である。
【００３５】
以下に、本発明のパウチ容器Ａを構成する、充填口部材２、パウチ本体１について、それぞれ説明する。
【００３６】
まず、前記充填口部材２は、例えば、図２（ａ）に示すように、略円筒状部材からなる筒状部材２２と、該筒状部材２２の上方部分が外方へと凸形状からなる複数段のフランジ２３、２４、２５（上段フランジ２５、中段フランジ２４、下段フランジ２３）を有し、前記上段フランジ２５および中段フランジ２４は、後述する、注出口部材３を充填口部材２に嵌合するための嵌合フランジ、あるいは機械上のハンドリングに用いられる。なお、本願では、複数段のフランジとして、上段フランジ２５、中段フランジ２４、下段フランジ２３を有するケースを説明しているが、上段フランジ２５および下段フランジ２３のみ備える充填口部材２であってもよい。また、注出口部材３は、上段フランジ２５および中段フランジ２４の部分をネジにすることで、該ネジに螺着させる構成にしてもよい。そして、前記下段フランジ２３は、後述する、パウチ本体１の開口端と接する位置まで充填口部材２を挿入するための位置決めフランジ２３である。
【００３７】
特に、前記筒状部材２２は、図２（ｂ）に示すように、パウチ本体１の正面および裏面のフィルムと接する箇所が、下方へと延伸した楔形状からなる延伸部分２６を有しており、後述する、前記充填口部材２をパウチ本体１へと接合することにより、パウチ本体１の正面および裏面に、パウチ本体１を手で直接把持することが可能な、把持部（２２、２６）を形成することが可能である。
【００３８】
次に、前記パウチ本体１は、図３（ａ）に示すように、積層フィルムの左右シール１２および底部シール１３が施されてなる筒状のパウチ本体１であって、該パウチ本体１は、平パウチに限らず、後述する、スタンドパウチ、さらには、ガセットタイプのパウチなど、パウチ本体１の形態は、特に限定されるものではない。
【００３９】
そして、前記パウチ本体１の上部分に形成された開口１１へと、図３（ｂ）に示すように、前記充填口部材２の延伸部分２６がパウチの開口１１へと当接するように、挿入することにより、パウチ本体１の開口１１が開き充填口部材２をスムースに挿入することが可能である。
【００４０】
そして、図４（ａ）に示すように、充填口部材２を９０度回転して、前記延伸部分２６がパウチ本体１の正面および裏面と接するように前記充填口部材２を位置した後、図４（ｂ）に示すように、下段フランジ２３と、パウチ本体１の開口端１１とが接する位置において、パウチ本体１の上部シール１５（接合部分１５）を形成することにより、パウチ本体１の上部シール１５が、前記充填口部材２の筒状部材２２に沿って形成されて、本発明のパウチ容器Ａを形成するものである。特に、前記充填口部材２と前記パウチ本体１とを、一体に接合することにより、パウチ容器Ａを傾けても、内容物が接合部分から容易に漏れることを強固に防ぐことが可能である。
【００４１】
そして、前記充填口部材２の大きな開口部２１から内容物を充填することにより、パウチ本体１が膨らみ、図５（ａ）に示すように、前記充填口部材２の上段フランジ２５に初期開封シールＰを形成することにより、パウチ容器Ａの内容物を密封、保存することが可能である。よって、酸素ガス、炭酸ガス、水蒸気等の透過を遮断する耐透過性を向上して、内容物の品質保持性を向上したパウチ容器Ａを提供することが可能である。また、内容物を収容するパウチ本体１は、柔軟性があるため、商品搬送時においても、ガラス瓶やブローボトルのように破損や傷を生じることなく、商品（パウチ容器Ａ）を扱いやすいという効果がある。
【００４２】
特に、本発明のパウチ容器Ａは、図５（ｂ）に示すように、前記延伸部分２６がパウチ本体１の正面および裏面のフィルムと当接しており、この部分がパウチ本体１を把持する把持部２６を形成するため、パウチ使用時においては、図６に示すように、パウチ容器Ａの前記延伸部分２６（把持部２６）を持ち、パウチ容器Ａを安定して取り扱うことが可能であり、優れたハンドリング性を奏するパウチ容器Ａを提供することが可能である。同時に、このような延伸部分２６がパウチ本体１の正面および裏面のフィルムに沿って設けられているため、パウチ本体１が閉塞せず、内容物の注出性を向上することができる。
【００４３】
このように、本発明のパウチ容器Ａは、積層フィルムの周囲をシールしてなるパウチ本体１と、該パウチ本体１の周囲の一側部に接合される、熱可塑性樹脂からなる略円筒状部材２２を有する充填口部材２と、を備える、パウチ容器Ａであって、前記充填口部材２が、パウチ１の内部にかけて延伸する延伸部分２６を有するとともに、該延伸部分２６が前記パウチ本体１の正面および裏面に沿って当接することを特徴とする簡単な構成により、前記パウチ本体１の正面および裏面に、パウチ容器Ａを把持するための把持部２６を形成することが可能であり、優れたハンドリング性を奏するパウチ容器Ａを提供することが可能である。
【００４４】
また、充填口部材２の大きな開口部２１から、内容物を充填することが可能であり、例えば、液体や粘体さらには固形物や粉末などの内容物の種類によって、適した開口形状を有する充填口部材２を適宜用いることが可能である。
【００４５】
次に、本発明のパウチ容器Ａは、内容物の注出性に優れた各種開口形状からなる注出部３３（ノズル３３）を有する注出口部材３を、前記充填口部材２へと取り付けることにより、パウチ容器Ａの充填性のみならず注出性をも向上することが可能である。
【００４６】
前記注出口部材３の一例としては、図７（ａ）に示すように、注出口部材３の開口３１を塞ぐ、プルリング３５付き閉塞面３２を有する注出口部材３であってもよく、パウチ容器Ａの、初期開封前の不正開封を防止する効果がある。
【００４７】
そして、前記注出口部材３の下方部分には、内方へと凸形状からなる段部３９が形成されており、該段部３９が、後述する、前記充填口部材２の上段フランジ２５へと嵌合することにより、注出口部材３を充填口部材２へと取り付けることが可能である。
【００４８】
このような注出口部材３は、パウチ容器Ａの初期開封時において、前記プルリング３５をつまみ上方へと引くことにより、注出部３３（ノズル３３）の開口３１を塞ぐ閉塞面３２が、薄肉部３４に沿って破断し、図７（ｂ）に示すように、略菱形状の開口３１を形成するものである。
【００４９】
そして、前記ノズル３３は、該ノズル３３の先端部分が、薄肉かつ外方へと開いた略ラッパ形状を有しており、液体等の内容物を注ぐ際にも液切れがよく、内容物がノズル３３の外側部分へと付着することを防ぐ効果がある。
【００５０】
さらには、図８に示すように、前記注出口部材３の前記ノズル３３を閉封するための、キャップ４を着脱自在に形成してもよく、該キャップ４の内側に形成された内ネジ４６を、前記注出口部材３のノズル３３の外周に形成された外ネジ３６へと螺着することにより、キャップ４を注出口部材３へと着脱自在に形成してもよい。
【００５１】
そして、図９に示すように、前記注出口部材３および前記キャップ４を、前記充填口部材２の上段フランジ２５へと、打栓若しくは螺着して取り付けることにより、パウチ容器Ａを形成することが可能である。
【００５２】
このようにして形成したパウチ容器Ａは、注出口部材３の開口３１がプルリング３５付き閉塞面３２により密封されており、この状態で商品として店頭に並べることが可能であるとともに、注出口部材３に形成された前記プルリング３５付き閉塞面３２により、初期開封前の不正開封防止の効果がある。
【００５３】
そして、本発明のパウチ容器Ａの使用時には、前記注出口部材３に取り付けられた前記キャップ４を取り外して、注出口部材３のプルリング３５付き閉塞面３２を切除することにより、図１０に示すように、注出口部材３の注出部３３を有するパウチ容器Ａを形成することが可能である。
【００５４】
特に、本発明のパウチ容器Ａは、図１０（ｂ）に示すように、パウチ本体１の正面および裏面に沿って当接する、充填口部材２の前記延伸部分２６が、パウチ１を良好に保持可能な把持部２６を形成しており、優れたハンドリング性を有するパウチ容器Ａを提供することが可能である。
【００５５】
よって、パウチ使用時において、図１１に示すように、パウチ本体１の把持部２６を持ち、パウチ容器Ａを安定かつ強固に保持することが可能であり、パウチ容器Ａのハンドリング性を向上するとともに、注出口部材３のノズル部３３を用いて、内容物を安定して注ぎ出すことが可能である。
【００５６】
前記充填口部材２の形状は、上記例に限定されるものではなく、パウチ本体１の正面および裏面と接する、前記筒状部材２２の延伸部分２６が、さらにパウチ本体１の中央より下方へと延伸した延伸部分２６であってもよく、これにより、把持部２６を形成するとともに、パウチ本体１の胴部保型性および自立性を向上することが可能である。
【００５７】
この場合、前記充填口部材２の一例としては、図１２（ａ）（ｂ）に示すように、パウチ本体１の正面および裏面と接する箇所の、前記筒状部材２２の一部が、さらに下方（充填口部材２とは反対側のパウチ本体１の一側部に向けて）へと延伸した、楔形状からなる延伸部分２６を形成してもよい。
【００５８】
そして、このような充填口部材２をパウチ本体１へと取り付けることにより、図１３（ａ）に示すように、前記延伸部分２６が、パウチ本体１の下方にかけて延伸し、図１３（ｂ）に示すように、パウチ本体１の正面および裏面のフィルムと、延伸部分２６とが当接した状態とすることが可能であり、パウチ本体１を常に膨らませた状態とすることが可能である。
【００５９】
よって、パウチ容器Ａのハンドリング性を向上するとともに、内容物の減少に伴いパウチ本体１の胴部がしぼむことなく、常にパウチ本体１の良好な膨らみを維持可能な、優れた胴部保型効果を奏することが可能である。
【００６０】
また、前記充填口部材２の別の例としては、図１４（ａ）に示すように、パウチ本体１の上部シール１５（接合部分１５）と接する箇所の、前記筒状部材２２が、舟形形状の滑らかな曲面２７からなる把持部２７であってもよく、図１４（ｂ）に示すように、パウチ本体１の膨らみを良好に維持するとともに、さらに把持しやすい形状からなる把持部２７を形成することが可能である。
【００６１】
特に、前記充填口部材２が、上面視において、略舟形形状を有することにより、前記パウチ本体１と前記充填口部材２とを接合した際に、接合部分１５のシールが、筒状部材２２の舟形形状に沿って滑らかに形成されるため、パウチ本体１と充填口部材２との密着性および接合性を向上することが可能である。
【００６２】
また、パウチ本体１の形状を、図１５（ａ）（ｂ）に示すように、自立可能な底部分１４を有するスタンドパウチ１としてもよく、前記延伸部分２６がパウチ本体１の正面および裏面の膨らみを保持するため、優れた胴部保型性を有するとともに安定した自立性を有するパウチ容器Ａを提供することが可能である。
【００６３】
また、前記注出口部材３は、キャップ４と注出口部材３とが、屈曲自在なヒンジＨを介して一体に形成された、ヒンジキャップ付き注出口部材３であってもよく、ヒンジキャップ４を、片手で容易に開くことが可能であり、パウチ容器Ａの使用性をさらに向上することが可能である。
【００６４】
前記充填口部材２の前記曲面２７は、上記例に限らず、例えば図１６（ａ）に示すように、上面視において舟形形状の曲面２７を形成するとともに、正面視において肩部分が滑らかに湾曲した曲面形状２７であってもよく、パウチ容器Ａの把持性、接合性のみならず意匠性をも向上することが可能である。
【００６５】
前記充填口部材２のさらに別の例としては、図１７（ａ）（ｂ）に示すように、パウチ本体１の正面および裏面と接する箇所の、延伸部分２６がさらに下方へと延伸してパウチ本体１の底部付近（充填口部材２とは反対側のパウチ本体１の一側部近傍）まで達するとともに、延伸部分２６の下端部分を滑らかな環状部材からなる連結部材２８で連結してもよく、パウチ本体１の膨らみに対応した骨組みを形成して、パウチ容器Ａのさらに安定した胴部保型性および自立安定性を奏することが可能である。
【００６６】
前記充填口部材２の前記延伸部分２６は、該延伸部分２６が前記パウチ本体１の正面および裏面に沿って当接する構成に限らず、例えば、図１８（ａ）に示すように、該延伸部分２６が前記パウチ本体１の、正面または裏面の何れかに沿って当接する形状であってもよく、少なくとも、前記延伸部分２６が、パウチ本体１の正面若しくは裏面のフィルムに沿って当接することが望ましい。
【００６７】
また、前記延伸部分２６の下端部分を連結する連結部材２８は、前記環状部材２８に限らず、図１８（ｂ）に示すように、板状の連結部材２８であってもよい。これにより、粘性の高い内容物であっても、パウチ本体１をしごきやすく、使用後において減容化に優れたパウチ容器Ａを提供することが可能である。
【００６８】
また、前記注出口部材３の一例としては、図１９（ａ）（ｂ）に示すように、逆止弁付き注出口部材３であってもよく、この場合、弾性部材の中央部分に略十字形状の溝が形成されてなる逆支弁ｇを、前記注出口部材３の内部に設けた、逆止弁付き注出口部材３であって、パウチ容器Ａの内容物が、ハチミツ、マヨネーズ、整髪量などの、粘性を有する液体である場合において、所望量の内容物を容易かつ確実に注出することが可能であり、内容物の液切れがよく、さらなる使用性を向上したパウチ容器Ａを提供することが可能である。
【００６９】
以上のように、本発明のパウチ容器Ａは、積層フィルムの周囲をシールしてなるパウチ本体１と、該パウチ本体１の周囲の一側部に接合される、熱可塑性樹脂からなる略円筒状部材２２を有する充填口部材２と、を備える、パウチ容器Ａであって、前記充填口部材２が、パウチ１の内部にかけて延伸する延伸部分２６を有するとともに、該延伸部分２６が前記パウチ本体１の正面および裏面、若しくは正面または裏面に沿って当接することを特徴とする簡単な構成により、パウチ本体１の把持性およびハンドリング性を向上するとともに、前記充填口部材２の前記延伸部分２６が、前記パウチ１の中心部分よりさらに下方に達することにより、パウチ本体１の正面および裏面のフィルムが、底部にかけて柱形状を形成して、前記パウチ本体１の胴部保型性および自立安定性を向上することが可能である。
【００７０】
よって、パウチ本体１にシワが生じることなく、パウチ１の内容物が減少した場合であっても、パウチ本体１が折れ曲ることなく、優れたハンドリング性、胴部保型性、自立性、意匠性を有する、パウチ容器Ａを提供することが可能である。
【００７１】
また、前記充填口部材２へと、さまざまな形態の注出口部材３を取り付けることで、パウチ容器Ａの注出性、使用性を向上した、新しい形態のパウチ容器Ａを提供することが可能である。
【００７２】
前記充填口部材２の開口部２１の開口径（内径）は、２０ｍｍφ〜３０ｍｍφであることが望ましく、これにより、パウチＡ製造時において、内容物を充填する充填ノズルを前記充填口部材へと直接挿入して内容物を充填することが可能であり、充填口部材２の内側に内容物が付着することを防ぐことが可能である。また、前記充填口部材２の外径と、前記スタンドパウチ１の底部１４の外径とは、略等しいことが望ましく、パウチＡの安定した自立性および胴部保型性を奏することが可能である。
【００７３】
また、前記充填口部材２の延伸部分２６は、パウチ容器Ａを把持する際の把持部２２となるため、延伸部分２６を含む前記筒状部材２２の上下方向の高さは、パウチ容器Ａを把持する際に、安定かつ強固に把持可能な高さを有することが望ましく、少なくとも１５ｍｍ以上、より望ましくは２０ｍｍ以上の高さが望ましい。これにより、パウチＡの開封時や閉封時にパウチ容器Ａを安定して保持することが可能である。
【００７４】
また、上記例では、充填口部材２と注出口部材３とが、別体で形成される例を示したが、これに限らず、充填口部材２と注出口部材３とが、着脱不可に一体をなす形状であってもよく、充填口部材と一体に形成された注出口部材の注出部を用いて、スムースかつ安定して内容物を充填することが可能であるとともに、使用時においても、内容物を安定して適量注ぎだすことが可能な構成としてもよい。
【図面の簡単な説明】
【００７５】
【図１】本発明のパウチ容器の一例を示す図である。
【図２】充填口部材を示す説明図である。  （ａ）充填口部材を示す図である。  （ｂ）充填口部材の一部切断説明図である。
【図３】パウチ本体に充填口部材を取り付ける際の一例を示す説明図である。  （ａ）パウチ本体を示す説明図である。  （ｂ）パウチ本体に充填口部材を挿入した場合を示す説明図である。
【図４】パウチ本体に充填口部材を取り付ける際の一例を示す説明図である。  （ａ）充填口部材を回転した場合を示す説明図である。  （ｂ）パウチ本体に充填口部材を接合した場合を示す説明図である。
【図５】本発明のパウチ容器を示す説明図である。  （ａ）パウチ容器の略正面視図である。  （ｂ）パウチ容器の略側面視図である。
【図６】本発明のパウチ容器の使用例を示す説明図である。
【図７】注出口部材の一例を示す説明図である。  （ａ）初期開封前を示す注出口部材の一部切断説明図である。  （ｂ）初期開封後を示す注出口部材の一部切断説明図である。
【図８】注出口部材にキャップを取り付ける際の一例を示す一部切断説明図である。
【図９】パウチ容器を示す一部切断説明図である。
【図１０】パウチ容器を示す説明図である。  （ａ）パウチ容器の略正面視図である。  （ｂ）パウチ容器の略側面視図である。
【図１１】パウチ容器の使用例を示す説明図である。
【図１２】充填口部材の別の例を示す説明図である。  （ａ）充填口部材を示す図である。  （ｂ）充填口部材を示す一部切断説明図である。
【図１３】充填口部材の別の例を示す説明図である。  （ａ）パウチ容器の略正面視図である。  （ｂ）パウチ容器の略側面視図である。
【図１４】充填口部材のさらに別の例を示す説明図である。  （ａ）充填口部材を示す図である。  （ｂ）パウチ容器を示す図である。
【図１５】注出口部材の別の例を示す説明図である。  （ａ）ヒンジキャップの閉封時を示すパウチ容器の説明図である。  （ｂ）ヒンジキャップの開封時を示すパウチ容器の説明図である。
【図１６】充填口部材のさらに別の例を示す説明図である。  （ａ）充填口部材の一部切断説明図である。  （ｂ）パウチ容器の略正面視図である。
【図１７】充填口部材のさらに別の例を示す説明図である。  （ａ）パウチ容器の略正面視図である。  （ｂ）パウチ容器の略側面視図である。
【図１８】（ａ）（ｂ）充填口部材のさらに別の例を示す説明図である。
【図１９】注出口部材のさらに別の例を示す説明図である。  （ａ）キャップ閉封時を示す逆止弁付き注出口部材の一部切断説明図である。  （ｂ）キャップ開封時を示す逆止弁付き注出口部材の一部切断説明図である。
【図２０】従来のボトル容器の一例を示す図である。  （ａ）ガラス瓶容器の一例を示す図である。  （ｂ）ブローボトルの一例を示す図である。
【図２１】従来のスパウト付きパウチの一例を示す図である。
【符号の説明】
【００７６】
１  パウチ本体
１１  開口（開口端）
１２  左右シール
１３  底部シール
１４  底部分（自立部分）
１５  上部シール（接合部分）
２  充填口部材
２１  開口部（充填口）
２２  筒状部材（把持部）
２３、２４，２５  フランジ
２６  延伸部分（把持部）
２７  曲面（把持部）
２８  環状部材
３  注出部
３１  開口
３２  閉塞面
３３  注出部（ノズル）
３５  プルリング
３６  外ネジ
３９  段部
４  キャップ
４６  内ネジ
Ａ  パウチ容器（パウチ）
Ｐ  初期開封シール
Ｈ  ヒンジ
ｇ  逆止弁
【図１】
2010083562.tif 000003
【図２】
2010083562.tif 000004
【図３】
2010083562.tif 000005
【図４】
2010083562.tif 000006
【図５】
2010083562.tif 000007
【図６】
2010083562.tif 000008
【図７】
2010083562.tif 000009
【図８】
2010083562.tif 000010
【図９】
2010083562.tif 000011
【図１０】
2010083562.tif 000012
【図１１】
2010083562.tif 000013
【図１２】
2010083562.tif 000014
【図１３】
2010083562.tif 000015
【図１４】
2010083562.tif 000016
【図１５】
2010083562.tif 000017
【図１６】
2010083562.tif 000018
【図１７】
2010083562.tif 000019
【図１８】
2010083562.tif 000020
【図１９】
2010083562.tif 000021
【図２０】
2010083562.tif 000022
【図２１】
2010083562.tif 000023